(57)【要約】【課題】運転代行サービスを利用する顧客及び顧客車両を代行運転する運転者の料金表示の視認性を向上させるために最適な代行運転用料金表示システムを提供する。【解決手段】顧客車両（１）に随伴して走行する随伴車両（２）に搭載する走行メータ（３）と、車両の内外に持ち運び可能な形態で、かつ顧客から収受する料金を表示する携帯型料金表示器（４）とを設ける。さらに、その携帯型料金表示器を顧客が顧客車両に同乗する際に顧客又は代行運転手が携行して車内に設置し、また、走行距離に基づく走行料金を走行メータに内蔵したＣＰＵで逐次集計し、集計された料金を携帯型料金表示器に逐次ワイヤレス送信する。【選択図】　　　　図１
2004062844.tif 000002
【特許請求の範囲】
【請求項１】
顧客の運転に代わって目的地まで代行運転する顧客車両に随伴して走行する運転代行サービスのための随伴車両に搭載する走行メータを備え、また前記顧客から収受する走行料金を表示する携帯型料金表示器を備え、前記携帯型料金表示器は代行運転者又は前記顧客が車両の乗降に際して車両の内外に持ち運び可能な形態を有し、さらに、前記顧客が前記顧客車両に同乗する際に、前記代行運転者又は前記顧客が前記携帯型料金表示器を携行して車内に設置し、また、前記随伴車両の走行距離に基づく走行料金を前記走行メータに内蔵するＣＰＵで逐次演算し、算出した前記走行料金を前記携帯型料金表示器に逐次ワイヤレス送信することで、前記顧客が目的地までの道順を代行運転者に指示しながら、容易に出発時から現時点までの走行料金を視認できることを特徴とする代行運転用料金表示システム。
【請求項２】
前記携帯型料金表示器は、前記走行料金を一定時間間隔でワイヤレス受信するための受信手段と、前記走行料金を一時的に記憶するための記憶手段と、前記走行料金を表示するための走行料金表示手段とを備えたことを特徴とする請求項１に記載の携帯型料金表示器。
【請求項３】
前記走行メータは、前記随伴車両の走行距離を検出するための走行距離検出手段と、前記走行距離を基に走行料金を算出するための走行料金算出手段と、前記走行料金の記憶手段と、前記走行料金の表示手段と、前記走行料金をワイヤレス送信するための送信手段とを備えたことを特徴とする請求項１に記載の走行メータ。
【発明の詳細な説明】
【０００１】
【発明の属する技術分野】
本発明は、自動車運転代行業者が運転代行サービスを行う場合の代行運転用料金表示システムに関するものである。
【０００２】
【従来の技術】
従来、おもに酔客等を利用者とする運転代行サービスは、顧客の車両と顧客自身を安全に目的地まで移動させることを業とするサービスである。その移動方法においては、顧客の車両と運転代行業者の随伴車両の２台の乗用車が使用される。顧客を出発地から目的地まで、顧客の車両の助手席に同乗させ、代行運転者は助手席の顧客から目的地までの道順を教わりながら顧客の車を運転する。そして他の運転者が顧客車両の直ぐ後ろに従って随伴車両を運転する。
【０００３】上記の場合、運転代行サービスでの走行料金の表示システムは図６に示すように、随伴車両２の走行メータ３に直接ケーブルを介して接続された外部料金表示器６で、その料金を車内から車外の前方に向けて表示していた。そして、随伴車両の前方を走行する顧客車両１に同乗した顧客５は、後方の随伴車両のフロントガラス越しに表示された外部料金表示器の料金数値を確認していた。外部料金表示器は７セグメントのＬＥＤを１桁とする５桁の数値からなる数値表示器であり、随伴用車両のサンバイザー（日除け）に取り付け、車外前方から走行料金が視認できるように設置していた。
【０００４】
【発明が解決しようとする課題】
上述した従来の技術では、随伴用車両の前方を走行する顧客車両に同乗した顧客は、運転者に道順を指示する必要があり、もし途中の走行料金を確認したいときは、後ろを振り返って後方車両の料金表示を見なければならなかった。したがって顧客は進行方向の前方と後方とを常に注意しなければならない状況に置かれ、身体的にも無理な動作を強いられた。また、昼夜悪天候を問わず遠くのＬＥＤの発光数字を光反射のある車の窓越しから見なければならず、そもそも表示そのものがガラス面の汚れ・油膜・雨滴・霜・雪・日差し等で見えにくい問題があった。
【０００５】
【課題を解決するための手段】
本発明は前述した課題を鑑みてなされたもので、本発明が採用した手段を図１を参照して説明する。図１は本発明の基本構成図である。顧客の運転に代わって目的地まで代行運転する顧客車両１に随伴して走行する運転代行サービスのための随伴車両２に搭載する走行メータ３を備え、また前記顧客から収受する走行料金を表示する携帯型料金表示器４を備え、前記携帯型料金表示器は代行運転者又は前記顧客が車両の乗降に際して車両の内外に持ち運び可能な形態を有し、さらに、前記顧客が前記顧客車両に同乗する際に、前記代行運転者又は前記顧客が前記携帯型料金表示器を携行して車内に設置し、また、前記随伴車両の走行距離に基づく走行料金を前記走行メータに内蔵するＣＰＵで逐次演算し、算出した前記走行料金を前記携帯型料金表示器に逐次ワイヤレス送信することで、前記顧客が目的地までの道順を代行運転者に指示しながら、容易に出発時から現時点までの走行料金を確認できる。
【０００６】また、前記携帯型料金表示器４は、前記走行料金を一定時間間隔でワイヤレス受信するための受信手段１５と、前記走行料金を一時的に記憶するための記憶手段１６と、前記走行料金を表示するための走行料金表示手段１７とを備えたことで、携帯に便利で最適な料金表示が実現できる。
【０００７】また、前記走行メータ３は、前記随伴車両の走行距離を検出するための走行距離検出手段１０と、前記走行距離を基に走行料金を算出するための走行料金算出手段１１と、前記走行料金の記憶手段１２と、前記走行料金の表示手段１４と、前記走行料金をワイヤレス送信するための送信手段１３とを備えたことで、携帯に便利で最適な料金表示が実現できる。
【０００８】
【発明の実施の形態】
発明の実施の形態について図面を参照して説明する。
図２は本発明による代行運転用料金表示システムの電気回路構成を示すブロック図である。図２において、本発明の走行メータ３はプログラム制御するＣＰＵ２０とその周辺回路から構成される。走行メータが設置された車両に直結した走行センサー２１は車両が一定距離進む度に信号パルスを送出する。その信号パルスはパルス入力回路２２からＣＰＵ２０に読み込まれ、所定の計算処理によって走行距離を記憶回路２６に保持する。また記憶された走行距離から所定の料金表を基に走行料金を算出してまた記憶装置２６に記憶する。そして記憶された走行料金は駆動回路３１からＬＣＤ表示部３０に表示すると共に、送信回路３３から携帯型料金表示器の受信回路３６へ無線送信し、ＬＥＤの数値表示器３９に数値表示する。この動作は走行パルスの入力が続く限り逐次連続して行われ、料金表示が更新表示される。
【０００９】また、料金の算出に際して必要とする時間要素については時刻入力回路２５からの現在時刻と一定周期で発生する基本クロックパルスがＣＰＵに読み込まれ利用される。また走行メータには一連の料金表示の操作をするためのＬＣＤ表示部３０が設置された操作パネル（図４の４０）があり、複数の押釦スイッチ２からの信号がＰＢ入力回路２４からＣＰＵに取り込まれる。
【００１０】またＣＰＵからの出力装置として、プリンタ２９及びその制御回路２８があり、走行料金収受の時の領収書の発行及び運転代行サービスの日報等の記録に使われる。また走行料金をプログラム処理にしたがってシリアル送信するための通信制御回路３２とアンテナを含む無線送信回路３３がある。また割増し料金や調整料金を含む所定の走行料金表と制御用プログラムはＲＯＭ２７に収納される。
【００１１】一方、図２において携帯型料金表示器４は、走行メータ３とは独立して存在し、受信用アンテナ３５と受信回路３６とその受信データの記憶回路３７及び受信データを表示するため駆動回路３８と、５桁のＬＥＤからなる数値表示器３９から構成される。そして走行メータに内蔵されたＣＰＵ２０で逐次集計した走行料金を予め定めた時間間隔で受信して携帯型料金表示器の表示部３９に数値表示する。図３は携帯型料金表示器４の概観を示す図であり、走行料金を受信する外部アンテナ３５と前面に５桁の数値表示器３９が設置された構造である。また携帯に便利なように二次電池が内蔵され、従来の外部料金表示器６に比べて小型の形態を有し、持ち運びが可能である。
【００１２】また、図４は本発明の走行メータ３の操作パネル４０を示す説明図である。図４において操作パネル４０は押し釦スイッチ４１〜４９とＬＣＤ表示部３０から構成される。図４は表示例であり、ＬＣＤの表示は代行モード、現在時刻１０時２６分、走行距離１．９Ｋｍ、走行料金１，２００円を例示する。また同様に図３に示す携帯型料金表示器にも１，２００円が表示される。
【００１３】ＣＰＵのプログラム処理において、走行料金が計算されるとＬＣＤ表示部３０にその数値を表示すると伴に、送信回路３３から同じ数値に対応したデータを送信する。携帯型料金表示器４は決められた時間間隔で受信回路３６を起動し、データを受信し記憶する。受信回路は間欠駆動のためその消費電流が節約できる。そして記憶されたデータを料金表示として数値表示器３９に表示する。したがってＬＣＤパネルに表示される料金数値と携帯型料金表示器に表示される数値は略同じ時刻で更新されて同じ数値が表示される。
【００１４】また、表示される料金には走行距離から算出された走行料金、及び顧客による待機時間のための待ち料金、及びパンク修理や例外作業が発生した場合の調整料金が含まれそれらが集計される。
【００１５】図５は本発明の概略操作手順を示すフローチャート図である。図５において、例えば走行メータの操作で、電源釦をＯＮする４２と空車モード５２になり、ＬＣＤ画面に「空車」の表示と現在時刻及び現在までの延べ走行距離を表示する。また代行釦をＯＮする５４と代行モード５５になり、ＬＣＤ画面（図４の３０）に「代行」の表示と延べ走行距離の数値表示がリセットされ、現在時刻及び走行距離の表示が開始される。また走行距離に応じて走行料金がＬＣＤに表示される。この料金表示と同じ数値が離れた場所の携帯表示器にも表示される。
【００１６】また代行モードで走行パルスが入力されず再度代行釦が押される５６と待ちモード５７となり、待ち時間を計算５８し、その料金を算出５９し、料金表示６０を行う。
【００１７】また代行運転業務が終了し空車釦をＯＮする５１と始めの空車モードにもどる。この空車モードで印字釦（図４の４７）をＯＮすると、その時点の日付と走行料金を記載した領収書がプリンタに印字される。空車モードでは携帯表示器に料金は表示されない。また、走行料金は走行パルスがＣＰＵに入力６６される度に、走行距離を計算し６７、走行料金を逐次算出する６８。また、割増釦がＯＮされる６４と予め設定された割増し率で走行料金が加算される。図５のフローチャート図には、待ちモード５７での待ち料金６０、と代行モードでの調整料金６３、及び走行距離に応じた走行料金６８、また割増料金６５による走行料金が、それぞれ集計６９されて料金表示７０されることを示す。
【００１８】
【発明の効果】以上説明したように、携帯型料金表示器を顧客車両に設置し得るように小型で独立した形態とし、走行メータを搭載した随伴車両から顧客車両の車内にある携帯型料金表示器に走行料金をワイヤレス送信することで、運転代行サービスを利用する顧客が、代行運転者に道順を指示しながら、その動作に余裕を持って容易に走行料金表示が更新される変り目を視認できる効果がある。
【００１９】また従来の料金表示器では遠方から料金表示をするため、表示装置を大型化せざるを得ず、顧客の手元で料金が確認できる本発明の代行運転用料金表示システムでは小型・軽量に装置設計できるメリットもある。
【図面の簡単な説明】
【図１】本発明による代行運転用料金表示システムの基本構成を示す図である。
【図２】本発明による代行運転用料金表示システムの電気回路構成を示すブロック図である。
【図３】本発明による携帯型料金表示器の概観を示す図である。
【図４】本発明による走行メータの操作パネルを示す図である。
【図５】本発明による走行メータの概略操作手順を示すフローチャート図である。
【図６】従来の代行運転用料金表示システムを説明する図である。
【符号の説明】
１　　顧客車両
２　　随伴車両
３　　走行メータ
４　　携帯型料金表示器
５　　顧客
６　　外部料金表示器
２０　　ＣＰＵ
【図１】
2004062844.tif 000003
【図２】
2004062844.tif 000004
【図３】
2004062844.tif 000005
【図４】
2004062844.tif 000006
【図５】
2004062844.tif 000007
【図６】
2004062844.tif 000008